(57)【要約】【課題】拡張ディスプレイ認識データ（ＥＤＩＤ）管理方法の提供。【解決手段】複数のＥＤＩＤ記録器グループを管理するのに用いられ、各ＥＤＩＤ記録器グループの少なくとも一つのＥＤＩＤ記録器をネットワークでＥＤＩＤ管理サーバーと電気的に接続するか或いは更にＥＤＩＤ管理サーバーよりインターネットを通してネットワーク管理サーバーに結合し、随時グループ中の構造が簡単で体積がコンパクトなＥＤＩＤ記録器を以て直接ＥＤＩＤを更新し、ＥＤＩＤ集中管理の目的を達成する。【選択図】図２
2008305370.tif 000002
【特許請求の範囲】
【請求項１】
拡張ディスプレイ認識データ（ＥＤＩＤ）管理方法であって、この方法はＥＤＩＤ管理サーバーとＥＤＩＤ記録器が相互にデータを伝送し、該ＥＤＩＤ管理サーバーがＥＤＩＤ管理サーバー接続インタフェースを通して該ＥＤＩＤ記録器と接続され、該ＥＤＩＤ記録器に第１識別コードが割り当てられ、該ＥＤＩＤ記録器がメモリユニットを包含し、該メモリユニットが該第１識別コードと、ＥＤＩＤを保存し、該ＥＤＩＤ記録器が複数のビデオインタフェースを具えてそれによりディスプレイに接続され、該ＥＤＩＤ管理サーバーが複数の第２識別コードと複数のＥＤＩＤを保存するデータベースを包含するシステムにおいて用いられる方法であり、この方法は、
（Ａ）ＥＤＩＤ管理サーバーが既に使用されているＥＤＩＤデータをロードするステップ、
（Ｂ）該ＥＤＩＤ管理サーバーと該ＥＤＩＤ記録器が接続状態かを判断するステップ、  （Ｃ）該ＥＤＩＤ管理サーバーと該ＥＤＩＤ記録器が接続状態であると判断した時、更に新ＥＤＩＤデータをロードする必要があるかを判断するステップ、
（Ｄ）新ＥＤＩＤデータのロード不要と判断した時、更に該ＥＤＩＤ記録器と該複数のビデオインタフェースがディスプレイに接続されているかを判断するステップ、
（Ｅ）該複数のビデオインタフェースがディスプレイに接続されていると判断した時、更にダウンロードを実行するかを判断するステップ、
（Ｆ）ダウンロードを実行すると判断した時、更に該ＥＤＩＤ記録器の第１識別コードとＥＤＩＤ管理サーバーのデータベースに保存された第２識別コードが対応するかを判断するステップ、
（Ｇ）該ＥＤＩＤ記録器の第１識別コードとＥＤＩＤ管理サーバーのデータベースに保存された第２識別コードが対応すると判断した時、該ＥＤＩＤ管理サーバーが関係するＥＤＩＤ及び制御コードを該ＥＤＩＤ記録器にダウンロードするステップ、
を包含することを特徴とする、拡張ディスプレイ認識データ管理方法。
【請求項２】
請求項１記載の拡張ディスプレイ認識データ管理方法において、（Ｂ）のステップで該ＥＤＩＤ管理サーバーがＥＤＩＤ記録器と非接続状態であると判断した時、ＥＤＩＤアップロード／ダウンロードの機能をイネーブルせず、並びにフローに戻り、次の判定を続けることを特徴とする、拡張ディスプレイ認識データ管理方法。
【請求項３】
請求項２記載の拡張ディスプレイ認識データ管理方法において、（Ｃ）のステップで新ＥＤＩＤのロードが必要と判断した時、ＥＤＩＤ管理サーバーのデータベースより新型番のＥＤＩＤをロードし、（Ｃ）のステップで新ＥＤＩＤを組み合わせてロードする必要がると判断した時、ＥＤＩＤ管理サーバーのデータベース中より新型番のＥＤＩＤを組合せてロードすることを特徴とする、拡張ディスプレイ認識データ管理方法。
【請求項４】
請求項３記載の拡張ディスプレイ認識データ管理方法において、（Ｄ）のステップで複数のビデオインタフェースがディスプレイに接続されていないと判断した時、ＥＤＩＤアップロード／ダウンロードの機能をイネーブルせず、並びにフローに戻り、次の判断を続けることを特徴とする、拡張ディスプレイ認識データ管理方法。
【請求項５】
請求項４記載の拡張ディスプレイ認識データ管理方法において、（Ｅ）のステップでダウンロードを不実行と判断した時、更に以下のステップ、すなわち、
（Ｈ）アップロードを実行するかを判断するステップ、
（Ｉ）アップロードを実行すると判断した時、該ＥＤＩＤ記録器の拡張ディスプレイ認識データと該制御コードを読み出し並びに該ＥＤＩＤ管理サーバーに伝送し、並びにＥＤＩＤ管理サーバーのデータベース中に保存された拡張ディスプレイ認識データ及び制御コードと対比するステップ、
を包含することを特徴とする、拡張ディスプレイ認識データ管理方法。
【請求項６】
請求項５記載の拡張ディスプレイ認識データ管理方法において、（Ｃ）と（Ｄ）の間に更に以下のステップ、すなわち、
（Ｊ）ＥＤＩＤ閲覧を実行するかを判断するステップ、
（Ｋ）ＥＤＩＤ閲覧を実行すると判断した時、関係するＥＤＩＤを表示するステップ、  を包含することを特徴とする、拡張ディスプレイ認識データ管理方法。
【請求項７】
請求項１記載の拡張ディスプレイ認識データ管理方法において、（Ｇ）のステップが更に、
（Ｇ１）ＥＤＩＤ記録器中の計数データを該ＥＤＩＤ管理サーバーのデータベース中にアップロードし、並びにＥＤＩＤ記録器中の計数データを併せて更新するステップ、
を包含したことを特徴とする、拡張ディスプレイ認識データ管理方法。
【請求項８】
拡張ディスプレイ認識データ管理方法において、この方法は、複数のＥＤＩＤ記録器グループがインターネットでネットワーク管理サーバーに接続されて相互にデータ伝送し、各ＥＤＩＤ記録器グループがＥＤＩＤ管理サーバー、及び少なくとも一つのＥＤＩＤ記録器を包含し、各ＥＤＩＤ記録器に第１識別コードが割り当てられ、且つメモリユニットを包含し、該メモリユニットが該第１識別コードとＥＤＩＤを保存し、該ネットワーク管理サーバーはデータベースを包含し、該データベースが複数の第２識別コードと、複数のＥＤＩＤを保存するシステムにおいて使用される方法であり、この方法は、
（Ａ）ＥＤＩＤ管理サーバーが既に使用されているＥＤＩＤデータをロードするステップ、
（Ｂ）該ＥＤＩＤ管理サーバーと該ＥＤＩＤ記録器が接続状態かを判断するステップ、  （Ｃ）該ＥＤＩＤ管理サーバーと該ＥＤＩＤ記録器が接続状態であると判断した時、更に新ＥＤＩＤデータをロードする必要があるか、或いは新ＥＤＩＤデータを組み合わせて生成してロードする必要があるかを判断するステップ、
（Ｄ）新ＥＤＩＤデータのロード不要と判断した時、更に該ＥＤＩＤ記録器と該複数のビデオインタフェースがディスプレイに接続されているかを判断するステップ、
（Ｅ）該複数のビデオインタフェースがディスプレイに接続されていると判断した時、更に該ＥＤＩＤ管理サーバーが該ネットワーク管理サーバーと接続されているかを判断するステップ、
（Ｆ）該ＥＤＩＤ管理サーバーと該ネットワーク管理サーバーが接続されていると判断した時、更にダウンロードを実行するかを判断するステップ、
（Ｇ）ダウンロードを実行すると判断した時、更に該ＥＤＩＤ記録器の第１識別コードとＥＤＩＤ管理サーバーのデータベースに保存された第２識別コードが対応するかを判断するステップ、
（Ｈ）該ＥＤＩＤ記録器の第１識別コードとＥＤＩＤ管理サーバーのデータベースに保存された第２識別コードが対応すると判断した時、該ＥＤＩＤ管理サーバーが該ネットワーク管理サーバーより関係するＥＤＩＤ及び制御コードを該ＥＤＩＤ記録器にダウンロードするステップ、
を包含することを特徴とする、拡張ディスプレイ認識データ管理方法。
【請求項９】
請求項８記載の拡張ディスプレイ認識データ管理方法において、（Ｂ）のステップでＥＤＩＤ管理サーバーがＥＤＩＤ記録器と非接続状態であると判断した時、ＥＤＩＤアップロード／ダウンロード機能をディスエーブルし、フローに戻り、続けて次の判断を行うことを特徴とする、拡張ディスプレイ認識データ管理方法。
【請求項１０】
請求項８記載の拡張ディスプレイ認識データ管理方法において、（Ｃ）のステップで新ＥＤＩＤをロードする必要があると判断した時、ＥＤＩＤ管理サーバーのデータベースより新型番のＥＤＩＤをロードし、（Ｃ）のステップで新ＥＤＩＤを組み合わせて生成してロードする必要があると判断した時、ＥＤＩＤ管理サーバーのデータベースより新型番のＥＤＩＤを組み合わせて生成しロードすることを特徴とする、拡張ディスプレイ認識データ管理方法。
【請求項１１】
請求項８記載の拡張ディスプレイ認識データ管理方法において、（Ｄ）のステップで複数のビデオインタフェースがディスプレイに接続されていないと判断した時、ＥＤＩＤアップロード／ダウンロードの機能をディスエーブルし、フローに戻り、続けて次の判断を行うことを特徴とする、拡張ディスプレイ認識データ管理方法。
【請求項１２】
請求項８記載の拡張ディスプレイ認識データ管理方法において、（Ｅ）のステップでＥＤＩＤ管理サーバーがネットワーク管理サーバーと非接続であると判断した時、ＥＤＩＤアップロード／ダウンロードの機能をディスエーブルし、フローに戻り、続けて次の判断を行うことを特徴とする、拡張ディスプレイ認識データ管理方法。
【請求項１３】
請求項８記載の拡張ディスプレイ認識データ管理方法において、（Ｆ）のステップでダウンロードの不実行を判断した時、更に、
（Ｉ）アップロードを実行するかを判断するステップ、
（Ｊ）アップロードを実行すると判断した時、該ＥＤＩＤ記録器のＥＤＩＤと該制御コードを読み出し並びに該ネットワーク管理サーバー中に伝送し、並びに該ネットワーク管理サーバーのデータベース中に保存されたＥＤＩＤと制御コードと対比するステップ、
を包含することを特徴とする、拡張ディスプレイ認識データ管理方法。
【請求項１４】
請求項１３記載の拡張ディスプレイ認識データ管理方法において、（Ｃ）と（Ｄ）のステップの間に更に、
（Ｋ）ＥＤＩＤ閲覧を実行するかを判断するステップ、
（Ｌ）ＥＤＩＤ閲覧を実行すると判断した時、関係するＥＤＩＤを表示するステップ、  を包含することを特徴とする、拡張ディスプレイ認識データ管理方法。
【請求項１５】
請求項８記載の拡張ディスプレイ認識データ管理方法において、（Ｈ）のステップが更に、
（Ｈ１）ＥＤＩＤ記録器中の計数データを該ＥＤＩＤ管理サーバーのデータベース中にアップロードし、並びにＥＤＩＤ記録器中の計数データを併せて更新するステップ、
を包含したことを特徴とする、拡張ディスプレイ認識データ管理方法。
【発明の詳細な説明】
【技術分野】
【０００１】
本発明は一種のデータ管理方法に係り、特に一種の、拡張ディスプレイ認識データ管理に使用される方法に関する。
【背景技術】
【０００２】
コンピュータテクノロジーの普及に伴い、プラグアンドプレイの機能はコンピュータ周辺機器に必要とされる機能となっている。ディスプレイでは、ＶＥＳＡ（Video Electronics Standard Association  ）が重大なディスプレイ及びディスプレインタフェース標準の推進と開発を請け負い、その互換性を確保している。拡張ディスプレイ認識データ（ＥＤＩＤ）はＶＥＳＡがディスプレイのために制定した標準データ形式である。ＥＤＩＤはディスプレイの基本データ、例えば販売者情報、最大画像サイズ、色彩特徴、使用周波数制限等を包含する。該ＥＤＩＤシステムはディスプレイ中に記録されてコンピュータとコミュニケートするのに用いられ、プラグアンドプレイの機能を達成する。
【０００３】
過去十年ほど、図１に示されるように、ディスプレイメーカーは、複数の異なる型番のディスプレイに対応するＥＤＩＤを直接フレキシブルディスク９３１、ハードディスク９３２、或いはＵＳＢディスク９３３等保存メディアに保存し並びにコンピュータ９３０と接続してコンピュータ構造９３を構成し、ＥＤＩＤ記録作業の主要構造とし、インタフェースアダプタ９５でＥＤＩＤが記録されるディスプレイ９１のＶＧＡインタフェース９１１、ＤＶＩインタフェース９１２、或いはＨＤＭＩインタフェース９１３に接続してＥＤＩＤをディスプレイ９１の電気的消去不能のメモリ中に書き込む。すなわち、型番Ａ−４７ディスプレイに記録するＥＤＩＤがフレクシブルディスク９３１に記録されている時、メーカーの作業員は、バーコードスキャナ９２及びコンピュータ９３０によりフレキシブルディスク９３１内のＥＤＩＤを読み取り、ＶＧＡインタフェースを通してディスプレイ中に書き込む必要がある。
【発明の開示】
【発明が解決しようとする課題】
【０００４】
しかし、過去には、ＥＤＩＤのダウンロード、編集、及び記録は前述の体積が膨大なコンピュータ構造により実行され、それはエネルギー資源、装備コスト及び維持費用等の方面で問題を形成し、また、保存メディア方面でえもＥＤＩＤを即時更新できず、さらにはデータの流れの方向を掌握しにくい等の厳重な管理問題を形成しうる。
【０００５】
ゆえに、本発明は、上述の問題を解決する拡張ディスプレイ認識データ管理システム及び方法を提供することを目的とする。
【課題を解決するための手段】
【０００６】
本発明は一種の拡張ディスプレイ認識データ（ＥＤＩＤ）管理方法を提供し、それはＥＤＩＤ管理サーバーとＥＤＩＤ記録器が相互にデータを伝送し、該ＥＤＩＤ管理サーバーがＥＤＩＤ管理サーバー接続インタフェースを通して該ＥＤＩＤ記録器と接続され、該ＥＤＩＤ記録器に第１識別コードが割り当てられ、且つメモリユニットを包含し、該メモリユニットが該第１識別コードと、ＥＤＩＤを保存し、該ＥＤＩＤ記録器が複数のビデオインタフェースを具えてそれによりディスプレイに接続され、該ＥＤＩＤ管理サーバーが複数の第２識別コードと複数のＥＤＩＤを保存するデータベースを包含するシステムにおいて用いられ、この方法は、（Ａ）ＥＤＩＤ管理サーバーが既に使用されているＥＤＩＤデータをロードするステップ、（Ｂ）該ＥＤＩＤ管理サーバーと該ＥＤＩＤ記録器が接続状態かを判断するステップ、（Ｃ）該ＥＤＩＤ管理サーバーと該ＥＤＩＤ記録器が接続状態であると判断した時、更に新ＥＤＩＤデータをロードする必要があるかを判断するステップ、（Ｄ）新ＥＤＩＤデータのロード不要と判断した時、更に該ＥＤＩＤ記録器と該複数のビデオインタフェースがディスプレイに接続されているかを判断するステップ、（Ｅ）該複数のビデオインタフェースがディスプレイに接続されていると判断した時、更にダウンロードを実行するかを判断するステップ、（Ｆ）ダウンロードを実行すると判断した時、更に該ＥＤＩＤ記録器の第１識別コードとＥＤＩＤ管理サーバーのデータベースに保存された第２識別コードが対応するかを判断するステップ、（Ｇ）該ＥＤＩＤ記録器の第１識別コードとＥＤＩＤ管理サーバーのデータベースに保存された第２識別コードが対応すると判断した時、該ＥＤＩＤ管理サーバーが関係するＥＤＩＤ及び制御コードを該ＥＤＩＤ記録器にダウンロードするステップ、を包含する。
【０００７】
このほか、本発明はインターネットを利用したもう一種類の拡張ディスプレイ認識データ管理方法を提供する。それは、複数のＥＤＩＤ記録器グループがネットワークでＥＤＩＤ管理サーバーに接続され、複数のＥＤＩＤ管理サーバーが更にインターネットでネットワーク管理サーバーに接続され、相互にデータ伝送可能とされ、そのうち、各ＥＤＩＤ記録器グループはＥＤＩＤ管理サーバーと、少なくとも一つのＥＤＩＤ記録器を包含し、各ＥＤＩＤ記録器に第１識別コードが割り当てられ、且つメモリユニットを包含し、該メモリユニットが該第１識別コードとＥＤＩＤを保存し、該ネットワーク管理サーバーはデータベースを包含し、該データベースが複数の第２識別コードと、複数のＥＤＩＤを保存するシステムにおいて使用される方法であり、この方法は、（Ａ）ＥＤＩＤ管理サーバーが既に使用されているＥＤＩＤデータをロードするステップ、（Ｂ）該ＥＤＩＤ管理サーバーと該ＥＤＩＤ記録器が接続状態かを判断するステップ、（Ｃ）該ＥＤＩＤ管理サーバーと該ＥＤＩＤ記録器が接続状態であると判断した時、更に新ＥＤＩＤデータをロードする必要があるか、或いは新ＥＤＩＤデータを組み合わせて生成してロードする必要があるかを判断するステップ、（Ｄ）新ＥＤＩＤデータのロード不要と判断した時、更に該ＥＤＩＤ記録器と該複数のビデオインタフェースがディスプレイに接続されているかを判断するステップ、（Ｅ）該複数のビデオインタフェースがディスプレイに接続されていると判断した時、更に該ＥＤＩＤ管理サーバーが該ネットワーク管理サーバーと接続されているかを判断するステップ、（Ｆ）該ＥＤＩＤ管理サーバーと該ネットワーク管理サーバーが接続されていると判断した時、更にダウンロードを実行するかを判断するステップ、（Ｇ）ダウンロードを実行すると判断した時、更に該ＥＤＩＤ記録器の第１識別コードとＥＤＩＤ管理サーバーのデータベースに保存された第２識別コードが対応するかを判断するステップ、（Ｈ）該ＥＤＩＤ記録器の第１識別コードとＥＤＩＤ管理サーバーのデータベースに保存された第２識別コードが対応すると判断した時、該ＥＤＩＤ管理サーバーが該ネットワーク管理サーバーより関係するＥＤＩＤ及び制御コードを該ＥＤＩＤ記録器にダウンロードするステップ、を包含する。
【発明の効果】
【０００８】
本発明は一種の拡張ディスプレイ認識データ管理方法を提供し、それは、複数のＥＤＩＤ記録器グループを管理するのに用いられ、各ＥＤＩＤ記録器グループの少なくとも一つのＥＤＩＤ記録器をネットワークでＥＤＩＤ管理サーバーと電気的に接続するか或いは更にＥＤＩＤ管理サーバーよりインターネットを通してネットワーク管理サーバーに結合し、随時グループ中の構造が簡単で体積がコンパクトなＥＤＩＤ記録器を以て直接ＥＤＩＤを更新し、ＥＤＩＤ集中管理の目的を達成する。
【発明を実施するための最良の形態】
【０００９】
図２及び図３を併せて参照されたい。図２は本発明の拡張ディスプレイ認識データ管理方法のシステム表示図である。図３は本発明を実施する対象装置のＥＤＩＤ記録器表示図である。図２及び図３から分かるように、本発明のシステムは、少なくとも一つのＥＤＩＤ記録器グループ１を包含し、該ＥＤＩＤ記録器グループ１はＥＤＩＤ管理サーバー１１、データベース３１、及び複数のＥＤＩＤ記録器１２１、１２２、１２３を包含し、本実施例では三つのＥＤＩＤ記録器１２１、１２２、１２３を例として説明している。そのうち、各ＥＤＩＤ記録器１２１、１２２、１２３に関係する説明はいずれも同じであるため、ここではＥＤＩＤ記録器１２１を例として説明を行う。
【００１０】
本実施例中、ＥＤＩＤ記録器１２１には第１識別コードＩＤ11が割り当てられ、且つ該ＥＤＩＤ記録器１２１はメモリユニット１２１Ａ、マイクロコントローラ１２１Ｂ、ＥＤＩＤ管理サーバー接続インタフェース１２１Ｄ、及び複数のビデオインタフェース１２１Ｅを包含する。
【００１１】
該メモリユニット１２１Ａは第１識別コードＩＤ11、拡張ディスプレイ認識データＥＤＩＤO 、及び計数データＣ11を保存している。本実施例では、メモリユニット１２１ＡはＥＥＰＲＯＭとされる。
【００１２】
マイクロコントローラ１２１ＢはＲＡＭを包含し、計数器１２１Ｃを融資、且つメモリユニット１２１Ａと電気的に接続され、そのうち、計数器１２１ＣはＥＤＩＤ記録回数を累計するのに用いられ、並びにメモリユニット１２１Ａ内に計数データＣ11を総合保存する。
【００１３】
該ＥＤＩＤ管理サーバー接続インタフェース１２１Ｄは該マイクロコントローラ１２１Ｂと電気的に接続されて、該ＥＤＩＤ管理サーバー１１との接続に用いられる。以下に説明される本実施例においては、該ＥＤＩＤ管理サーバー接続インタフェース１２１ＤはＲＳ２３２シリアルインタフェースとされるのがよい。
【００１４】
本実施例では、該複数のビデオインタフェース１２１ＥはＶＧＡインタフェース、ＨＤＭＩインタフェース、及びＤＶＩインタフェースとされるのがよく、該ＥＤＩＤ記録器１２１はＥＤＩＤを該複数のビデオインタフェース１２１Ｅを通してディスプレイの電気的消去不能のメモリ中に書き込む。本発明の該複数のビデオインタフェース１２１Ｅは上述の説明により例示及び記載されるが、それは本発明の前述の記載に制限されない。
【００１５】
このほか、ＥＤＩＤ管理サーバー１１はデータベース３１を包含し、それは複数の第２識別コード（図２中には該第１識別コードＩＤ11に対応する第２識別コードＩＤ21のみ表示されている）、及び複数のＥＤＩＤ（図２中にはわずかに拡張ディスプレイ認識データＥＤＩＤN のみ表示されている）を包含し、ＥＤＩＤ管理サーバー１１中にＥＤＩＤアップロード／ダウンロードプログラムＣＳが包含されて、拡張ディスプレイ認識データ管理方法のフローを実行するのに用いられる。
【００１６】
図４は本発明の拡張ディスプレイ認識データ管理方法のフローチャートであり、図５は本発明の拡張ディスプレイ認識データ管理方法に対応するソフトウエアインタフェースの表示図である。その詳細な説明に関しては、図２及び図３を併せて参照されたい。
【００１７】
ステップＳ５０５において、先に使用されたＥＤＩＤデータをロードする。本発明の拡張ディスプレイ認識データ管理方法のソフトウエアをＥＤＩＤ管理サーバー１１において実行する時は、ＥＤＩＤ管理サーバー１１のデータベース３１より前回該ソフトウエアが使用したＥＤＩＤデータをロードし、使用者が必要なＥＤＩＤデータを指定しなくともよく、これにより使用の便利性を増す。
【００１８】
ステップＳ５１０において、該ソフトウエアの接続ボタン（Ｃｏｎｎｅｃｔ）が接続状態であるかを検査する。該ＥＤＩＤ管理サーバー１１が検出によりそれが該ＥＤＩＤ管理サーバー接続インタフェース１２１Ｄを通して該ＥＤＩＤ記録器１２１に接続されていることを知ると、該ソフトウエアの接続ボタンは接続状態とされ、並びにステップＳ５１５を実行する。該ＥＤＩＤ管理サーバー１１が検出によりそれが該ＥＤＩＤ記録器１２１と不接続であると知ると、該ソフトウエアの接続ボタンは非接続状態（接続ボタンが灰色を呈する）とされ、並びにステップＳ５８０を実行する。本実施例中、該ＥＤＩＤ管理サーバー接続インタフェース１２１ＤはＲＳ２３２シリアルインタフェースとされるのがよい。
【００１９】
ステップＳ５１５中、該ソフトウエアの更新がイネーブルとされるかが検査される。入力フィールド（Ｓｅｌｅｃｔ  Ｍｏｄｅｌ）により新型番が入力される時、該ソフトウエアがＥＤＩＤ管理サーバー１１のデータベース３１より新型番（則ち入力フィールドが入力する型番）のＥＤＩＤデータをロードする必要があることを表示する。該ソフトウエアの更新がイネーブルとされる時、ステップＳ５１７を実行し、イネーブルとされない時、ステップＳ５１８を実行する。
【００２０】
ステップＳ５１７では、新型番のＥＤＩＤをロードする。
ステップＳ５１８では、該ソフトウエアの組合せボタン（Ｎｅｗ  Ｍｏｄｅｌ）がイネーブルとされるかを検査する。該ソフトウエアの組合せボタンが押される時、該ソフトウエアはＥＤＩＤ管理サーバー１１のデータベース３１中より新型番のＥＤＩＤデータを組合せて並びにロードする必要があることを表示する。該ソフトウエアの組合せボタンがイネーブルされる時、ステップＳ５２０を実行し、イネーブルされない時、ステップＳ５１９を実行する。
【００２１】
ステップＳ５２０において、新型番のＥＤＩＤをロードし並びに該ＥＤＩＤ管理サーバー１１のデータベース３１中に保存された複数のビデオ信号のＥＤＩＤと組み合わせて同一型番となし、さらにデータベース３１に保存し、次のアクセスに便利とする。本実施例では、複数のビデオ信号のＥＤＩＤはＶＧＡ、ＨＤＭＩ、及びＤＶＩとされ、ゆえにステップＳ５２０において、ＶＧＡ、ＨＤＭＩ、及びＤＶＩのＥＤＩＤを組み合わせて、使用者が一々別個にＶＧＡ、ＨＤＭＩ、及びＤＶＩのＥＤＩＤをロードする必要をなくし、これにより使用の便利性を高める。
【００２２】
ステップＳ５１９において、ＥＤＩＤデータの閲覧を実行するかを判断し、それはソフトウエアの閲覧ボタンが押されたかによる。もし押されていればステップＳ５２１を実行し、押されていなければステップＳ５２５を実行する。ステップＳ５２１において、関係するＥＤＩＤデータを表示する。
【００２３】
ステップＳ５２５において、該ＥＤＩＤ記録器１２１の該複数のビデオインタフェース１２１Ｅがディスプレイ（図示せず）に接続されているかを判断する。もし非接続であればステップＳ５８０を実行する。もし接続されていればステップＳ５３０を実行する。
【００２４】
ステップＳ５３０において、該ソフトウエアの関係ボタンをイネーブルする。それはソフトウエアのダウンロード、アップロード、切断等のボタンをイネーブルする。
【００２５】
ステップＳ５３５において、ダウンロードを実行するかを判断し、それはソフトウエアのダウンロードボタンが押されたかによる。ダウンロード実行するなら、ステップＳ５４０を実行し、実行しないならステップＳ５５０を実行する。
【００２６】
ステップＳ５４０において、該ＥＤＩＤ記録器１２１の第１識別コードＩＤ11とデータベース３１に保存されている第２識別コードＩＤ21が対応するかを判断し、対応するならば、ステップＳ５４５を実行し、しないならばステップＳ５８０を実行する。
【００２７】
ステップＳ５４５において、第１識別コードＩＤ11とデータベース３１に保存されている第２識別コードＩＤ21は対応するため、ＥＤＩＤ管理サーバー１１は関係するＥＤＩＤと制御コードをデータベース３１よりＥＤＩＤ記録器１２１中にダウンロードし、並びにＥＤＩＤ記録器１２１中の計数データＣ11を併せて更新するが、更新の前に、まず計数データＣ11を該ＥＤＩＤ管理サーバー１１のデータベース３１中にアップロードし、システムにＥＤＩＤ記録回数を有効に管理させ、並びに後日に記録回数に基づき使用者より費用を回収できるようにする。
【００２８】
ステップＳ５５０において、アップロードを実行するかを判断し、それはソフトウエアのアップロードボタンが押されたかによる。押されていればステップＳ５５５を実行し、押されていなければステップＳ５７０を実行する。
【００２９】
ステップＳ５５５において、該ＥＤＩＤ記録器１２１のＥＤＩＤ及び制御コードを読み出し並びに該ＥＤＩＤ管理サーバー１１中に伝送し、データベース３１中に保存されたＥＤＩＤと制御コードと対比し、こうして該ＥＤＩＤ記録器１２１にされたデータが正確かを判断する。
【００３０】
ステップＳ５７０において、切断するかを判断し、切断するなら、ステップＳ５７５を実行し、しないならステップＳ５８０を実行する。ステップＳ５７５において、該ＥＤＩＤ管理サーバー１１と該ＥＤＩＤ記録器１２１の接続を切断し、並びにソフトウエアのダウンロード（ｄｏｗｎｌｏａｄ）、アップロード（ｕｐｌｏａｄ）、切断（ｄｉｓｃｏｎｎｅｃｔｅｄ）等のボタンをディスエーブル（ｄｉｓａｂｌｅ）する。
【００３１】
ステップＳ５８０において、該ソフトウエアを終了するかを判断し、それはソフトウエアの退出（ｅｘｉｔ）ボタンが押されたかによる。イエスならばこのソフトウエアを終了し、ノーならばステップＳ５１０を実行する。
【００３２】
図６は本発明の別の実施例のシステム表示図である。図６及び図３から分かるように、本発明の拡張ディスプレイ認識データ管理方法を使用するシステムは、複数のＥＤＩＤ記録器グループ１、２、ネットワーク管理サーバー３及びデータベース３１を包含する。本実施例は二つのＥＤＩＤ記録器グループ１、２を包含する場合を例としている。
【００３３】
各ＥＤＩＤ記録器グループ１、２はＥＤＩＤ管理サーバー１１、２１と、複数のＥＤＩＤ記録器１２１、１２２、１２２、２２１、２２２、２２３を包含する。本実施例では６個のＥＤＩＤ記録器１２１、１２２、１２２、２２１、２２２、２２３を例としている。そのうち、各ＥＤＩＤ記録器１２１、１２２、１２２、２２１、２２２、２２３の関係説明はいずれも同じであるため、ここではＥＤＩＤ記録器１２１を例として説明をする。
【００３４】
先の実施例との主要な違いは、新たにネットワーク管理サーバー３が増設されたことである。該ネットワーク管理サーバー３はインターネット４をとして、各ＥＤＩＤ記録器グループ１、２のＥＤＩＤ管理サーバー１１、２１と結合され、またデータベース３１はすでにＥＤＩＤ管理サーバー１１、２１よりネットワーク管理サーバー３に移され並びにそれと電気的に接続され、該データベース３１は複数の第２識別コードＩＤ21（図６中にはわずかに第１識別コードＩＤ11に対応する第２識別コードＩＤ21のみが表示されている）と、複数のＥＤＩＤ（図６中には拡張ディスプレイ認識データＥＤＩＤN のみが表示されている）を保存している。各ＥＤＩＤ管理サーバー１１、１２はＥＤＩＤアップロード／ダウンロードプログラムＣＳを包含し、それは拡張ディスプレイ認識データ管理方法のフローを実行するのに用いられる。
【００３５】
図７は本発明の拡張ディスプレイ認識データ管理方法のフローチャートであり、その図４のフローチャートとの主要な違いは、ステップＳ７１０、ステップＳ５４０’、及びステップＳ５４５’が増加されたことにある。
【００３６】
ステップＳ７１０において、該ＥＤＩＤ管理サーバー１１は該ネットワーク管理サーバー３と接続されているかを判断し、接続されていれば、ステップＳ５３５を実行し、接続されていなければ、ステップＳ５７０を実行する。
【００３７】
ステップＳ５４０’において、ＥＤＩＤ記録器１２１の第１識別コードＩＤ11と該ネットワーク管理サーバー３のデータベース３１に保存された第２識別コードＩＤ21が対応するかを判断し、対応すればステップＳ５４５’を実行し、しなければステップＳ５８０を実行する。
【００３８】
ステップＳ５４５’において、第１識別コードＩＤ11とデータベース３１に保存された第２識別コードＩＤ21が対応するため、ＥＤＩＤ管理サーバー１１はインターネット４を通して該ネットワーク管理サーバー３のデータベース３１に保存されたＥＤＩＤと制御コードをデータベース３１より該ＥＤＩＤ記録器１２１中にダウンロードし、並びに該ＥＤＩＤ記録器１２１中の計数データＣ11を併せて更新するが、ただし更新の前に、先に計数データＣ11をＥＤＩＤ管理サーバー１１とインターネット４を通して該ネットワーク管理サーバー３のデータベース３１中にアップロードし、システムが有効にＥＤＩＤ記録回数を管理できるようにし、並びに後日に記録回数によって使用者より費用を回収できるようにする。
【００３９】
上述の実施例は説明の為に例示されたものに過ぎず、本発明の範囲を限定するものではなく、本発明の主張の権利はその特許請求の範囲の記載に準じ、本発明の技術の属する分野における通常の知識を有する者が本発明に基づきなしうる同等の修飾或いは変更はいずれも本発明の請求範囲に属するものとする。
【図面の簡単な説明】
【００４０】
【図１】周知のシステムの表示図である。
【図２】本発明の好ましい実施例のシステム表示図である。
【図３】本発明の対象装置のＥＤＩＤ記録器表示図である。
【図４】本発明の実施例の方法のフローチャートである。
【図５】本発明の拡張ディスプレイ認識データ管理方法に対応するソフトウエアインタフェースの表示図である。
【図６】本発明の別の実施例のシステム表示図である。
【図７】本発明の別の実施例の方法のフローチャートである。
【符号の説明】
【００４１】
１、２  ＥＤＩＤ記録器グループ
３  ネットワーク管理サーバー
１２１、１２２、１２３、２２１、２２２、２２３  ＥＤＩＤ記録器
ＩＤ11  第１識別コード          １２１Ａ  メモリユニット
ＩＤ21  第２識別コード          １２１Ｃ  計数器
１２１Ｂ  マイクロコントローラ  Ｃ11  計数データ
１２１Ｄ  ＥＤＩＤ管理サーバー接続インタフェース
１１、２１  ＥＤＩＤ管理サーバー
ＥＤＩＤO    拡張ディスプレイ認識データ
ＥＤＩＤN    拡張ディスプレイ認識データ
４  インターネット
Ｓ５０５〜Ｓ５８０  ステップ
Ｓ７１０  ステップ
Ｓ５４０’〜Ｓ５４５’  ステップ
３１  データベース
ＣＳ  ＥＤＩＤアップロード／ダウンロードプログラム
【図１】
2008305370.tif 000003
【図２】
2008305370.tif 000004
【図３】
2008305370.tif 000005
【図４】
2008305370.tif 000006
【図５】
2008305370.tif 000007
【図６】
2008305370.tif 000008
【図７】
2008305370.tif 000009